(57)【要約】【課題】物品の少量搬送及び多量搬送を、トラフを取り替えなく好適に行うことができる直進フィーダ用のトラフを提供する。【解決手段】底板部７ａ及び一対の側板部７ｂ，７ｃによって形成された主搬送通路Ｆと、主搬送通路Ｆにおける底面の幅方向の中間部に、搬送方向に沿って突設されて、主搬送通路Ｆを２つの小幅搬送通路ｆに区画する隔壁部１４とを備え、隔壁部１４は、断面形状が山形であって、隔壁部１４の高さによって規定される小幅搬送通路ｆの深さが、主搬送通路Ｆの深さに比べて浅い。【選択図】図７
2020159786.tif 000002
【特許請求の範囲】
【請求項１】
物品を載置して振動搬送する直進フィーダ用のトラフであって、
底板部及び該底板部の両側から立設された対向する一対の側板部によって形成された主搬送通路と、
前記主搬送通路における底面の前記物品の搬送方向に直交する幅方向の中間部に、前記搬送方向に沿って突設されて、前記主搬送通路を複数の小幅搬送通路に区画する隔壁部とを備え、
前記隔壁部の断面形状が山形であって、前記隔壁部の高さによって規定される前記小幅搬送通路の深さが、前記主搬送通路の深さに比べて浅い、
ことを特徴する直進フィーダ用のトラフ。
【請求項２】
前記隔壁部は、前記幅方向の中央部に突設され、前記隔壁部の前記幅方向の両側に前記小幅搬送通路がそれぞれ区画される、
請求項１に記載の直進フィーダ用のトラフ。
【請求項３】
前記隔壁部が、前記主搬送通路の全長に亘って突設されている、
請求項２に記載の直進フィーダ用のトラフ。
【請求項４】
前記主搬送通路の幅及び前記小幅搬送通路の幅が、前記搬送方向の全長に亘ってそれぞれ一定である、
請求項２または３に記載の直進フィーダ用のトラフ。
【請求項５】
前記主搬送通路の前記底面における前記隔壁部の幅が、前記主搬送通路の底面の全幅の略３分の１である、
請求項２ないし４のいずれか一項に記載の直進フィーダ用のトラフ。
【請求項６】
供給される物品を周縁部へ搬送する分散フィーダと、前記分散フィーダの周囲に配設され、前記分散フィーダによって供給された物品を外方へ振動搬送する複数の直進フィーダと、前記各直進フィーダにそれぞれ対応して設けられ、前記直進フィーダからの前記物品を一時保持して排出する複数の供給ホッパと、前記各供給ホッパにそれぞれ対応して設けられ、前記供給ホッパから排出された物品を一時保持して物品の重量を計量する複数の計量ホッパとを備え、前記計量ホッパで計量される物品の計量値に基づいて組合せ演算を行う組合せ秤であって、
前記複数の直進フィーダは、前記請求項１ないし５のいずれか一項に記載のトラフを備えている、
ことを特徴とする組合せ秤。
【発明の詳細な説明】
【技術分野】
【０００１】
本発明は、菓子などの物品を振動によって直進搬送する直進フィーダ用のトラフ及びこれを備えた組合せ秤に関する。
【背景技術】
【０００２】
一般に、組合せ秤においては、分散フィーダで分散搬送した物品を、その周囲に配備した複数の直進フィーダに送り込み、直進フィーダで振動搬送した物品を、供給ホッパを介して計量ホッパに送り込んで計量し、計量ホッパの計量値に基づいて組合せ演算を行って、所定重量となる複数の計量ホッパを選択し、選択した複数の計量ホッパから物品を排出し、排出された物品を包装機によって包装するようにしている。
【０００３】
上記のような組合せ秤において、例えば、小袋の包装品を生産する場合には、直進フィーダによって供給ホッパへ搬送する物品の量は少量となり、大袋の包装品を生産する場合には、直進フィーダによって供給ホッパへ搬送する物品の量は多量となる。
【０００４】
少量の物品の搬送を行う直進フィーダとしては、例えば、特許文献１に記載されているように、断面形状をＶ字形に形成したトラフや、小幅の底面を備えた略Ｖ字形断面形状のトラフを用いたものが知られている。
【０００５】
Ｖ字形あるいは略Ｖ字形の断面形状を備えたトラフは、数多くの物品が横並びできない搬送通路を形成することで、少量の物品の搬送を安定して行えるようにしたものであるので、搬送通路の断面積が小さく多量の物品を安定して搬送するのは困難である。そこで、多量の物品の搬送には、数多くの物品が横並びできる横幅の大きい底面を有し、かつ、搬送通路の断面積が大きい逆台形の断面形状を備えたトラフが用いられる。
【０００６】
つまり、従来では、Ｖ字形あるいは略Ｖ字形の断面形状を備えたトラフと、横幅の大きい底面を有する逆台形の断面形状を備えたトラフとを予め用意しておき、搬送すべき物品の量に応じて、トラフを使い分けるようにしていた。
【先行技術文献】
【特許文献】
【０００７】
【特許文献１】実開平２−４１１２４号公報
【発明の概要】
【発明が解決しようとする課題】
【０００８】
しかし、分散フィーダの周囲に配備される直進フィーダは数が多く、トラフの取り替え作業に多大な手間がかかるのみならず、多数のトラフを管理するにも手間とコストがかかるものとなる。
【０００９】
本発明は、このような点に鑑みてなされたものであって、物品の搬送量の多少に拘わらず安定した物品の搬送を行うことができる直進フィーダ用のトラフ、及び、これを備えた組合せ秤を提供することを目的とする。
【課題を解決するための手段】
【００１０】
上記目的を達成するために、本発明では、次のように構成している。
【００１１】
（１）本発明に係る直進フィーダ用のトラフは、物品を載置して振動搬送する直進フィーダ用のトラフであって、底板部及び該底板部の両側から立設された対向する一対の側板部によって形成された主搬送通路と、前記主搬送通路における底面の前記物品の搬送方向に直交する幅方向の中間部に、前記搬送方向に沿って突設されて、前記主搬送通路を複数の小幅搬送通路に区画する隔壁部とを備え、前記隔壁部の断面形状が山形であって、前記隔壁部の高さによって規定される前記小幅搬送通路の深さが、前記主搬送通路の深さに比べて浅いことを特徴とする。
【００１２】
本発明の直進フィーダ用のトラフによると、少量の物品を搬送する場合、当該トラフへの物品の供給量が少なくなると、物品は、浅く断面積の小さい複数の小幅搬送通路に振分け案内され、殆ど重なり合うことなく少量ずつ搬送される。
【００１３】
また、多量の物品を搬送する場合、当該トラフへの物品の供給量が多くなると、物品は、隔壁部より高く重なり合って、幅広で断面積の大きい主搬送通路によって安定して多量に搬送することができる。
【００１４】
（２）本発明の好ましい実施態様では、前記隔壁部は、前記幅方向の中央部に突設され、前記隔壁部の前記幅方向の両側に前記小幅搬送通路がそれぞれ区画される。
【００１５】
この実施態様によると、少量の物品を搬送する場合には、当該トラフへ供給された物品は、隔壁部の両側の浅く断面積の小さい２つの小幅搬送通路に振分け案内され、殆ど重なり合うことなく少量ずつ搬送される。また、多量の物品を搬送する場合には、当該トラフへ供給された物品は、隔壁部より高く重なり合って、幅広で断面積の大きい主搬送通路によって安定して多量に搬送される。
【００１６】
（３）本発明の他の実施態様では、前記隔壁部が、前記主搬送通路の全長に亘って突設されている。
【００１７】
この実施態様によると、少量の物品を搬送する場合、当該トラフに物品が供給された時点で、物品は、複数の小幅搬送通路のいずれかの小幅搬送通路に振分けられ、以降は、振分けられた小幅搬送通路を入れ替わることなく、列状に安定して搬送される。
【００１８】
（４）本発明の更に他の実施態様では、前記主搬送通路の幅及び前記小幅搬送通路の幅が、前記搬送方向の全長に亘ってそれぞれ一定である。
【００１９】
この実施態様によると、当該トラフにおける物品の搬送方向の始端から終端までの各部位での物品の量が安定し、搬送方向の終端から送り出される物品の量が安定したものとなる。
【００２０】
（５）本発明の一実施態様では、前記主搬送通路の前記底面における前記隔壁部の幅が、前記主搬送通路の底面の全幅の略３分の１である。
【００２１】
この実施態様によると、隔壁部の両側の各小幅搬送通路の幅が、主搬送通路の幅の略１／３となり、物品の少量搬送と多量搬送をそれぞれ好適に行うことができる。
【００２２】
（６）本発明に係る組合せ秤は、供給される物品を周縁部へ搬送する分散フィーダと、前記分散フィーダの周囲に配設され、前記分散フィーダによって供給された物品を外方へ振動搬送する複数の直進フィーダと、前記各直進フィーダにそれぞれ対応して設けられ、前記直進フィーダからの前記物品を一時保持して排出する複数の供給ホッパと、前記各供給ホッパにそれぞれ対応して設けられ、前記供給ホッパから排出された物品を一時保持して物品の重量を計量する複数の計量ホッパとを備え、前記計量ホッパで計量される物品の計量値に基づいて組合せ演算を行う組合せ秤であって、
前記複数の直進フィーダは、上記（１）ないし（５）のいずれかのトラフを備えている、
本発明の組合せ秤によると、トラフを取り替えることなく、物品の少量搬送と多量搬送を、それぞれ安定して行うことができる。これによって、トラフの取り替え手数や管理手数にかかるコストを削減することができる。
【発明の効果】
【００２３】
本発明に係る直進フィーダ用のトラフによれば、物品の少量搬送のときには、隔壁部によって区画される浅く断面積の小さい小幅搬送通路によって少量の物品を搬送することができる一方、多量搬送のときには、小幅搬送通路より深く断面積の大きい主搬送通路によって多量の物品を安定して搬送することができる。
【００２４】
また、本発明に係る組合せ秤によれば、物品の少量搬送と多量搬送とで２種類のトラフを準備する必要がなく、少量搬送と多量搬送とに応じて、多数のトラフを交換する作業も不要となり、コストを低減することができる。
【図面の簡単な説明】
【００２５】
【図１】図１は本発明の一実施形態に係る組合せ秤の概略構成を示す模式図である。
【図２】図２は組合せ秤の上部を示す平面図である。
【図３】図３は組合せ秤の上部の一部を示す斜視図である。
【図４】図４は直進フィーダのトラフの斜視図である。
【図５】図５は直進フィーダのトラフの平面図である。
【図６】図６は直進フィーダのトラフの側面図である。
【図７】図７は直進フィーダのトラフにおける物品搬送形態を示す縦断正面図であり、（ａ）は少量搬送時、（ｂ）は多量搬送時を示す。
【図８】図８は本発明の他の実施形態のトラフの縦断正面図である。
【図９】図９は本発明の更に他の実施形態のトラフの平面図である。
【発明を実施するための形態】
【００２６】
以下、本発明の実施の形態を、図面を参照しながら詳細に説明する。
【００２７】
図１は、本発明の一実施の形態の組合せ秤の概略構成を示す模式図、図２は、組合せ秤の上部を示す平面図である。
【００２８】
この実施形態の組合せ秤は、例えば、チョコレート菓子や飴などの物品を所定重量ずつ計量して袋詰めする計量包装ラインなどに利用される。
【００２９】
この実施形態の組合せ秤の上部中央には、図示しない供給装置によって搬送されて落下供給された物品を振動によって放射状に分散搬送する円錐状のトップコーン５を有する分散フィーダ１が設けられている。分散フィーダ１の周囲には、分散フィーダ１の周縁から搬出された物品を更に外方に向けて直線的に搬送する多数台（この例では１４台）の直進フィーダ２が放射状に配設されている。
【００３０】
更に、各直進フィーダ２の搬送終端部の下方には、ゲート３ａが開閉制御される供給ホッパ３が配設されると共に、各供給ホッパ３の下方には、ゲート４ａが開閉制御される計量ホッパ４がそれぞれ配設されている。
【００３１】
分散フィーダ１のトップコーン５は、加振機構６によって振動駆動される。
【００３２】
直進フィーダ２は、物品を載置して搬送するトラフ７と、このトラフ７を振動駆動する加振機構８とを備えている。
【００３３】
供給ホッパ３は、直進フィーダ２の終端から落下排出された物品を受け取って一時保持し、その下方に配置された計量ホッパ４が空になると、物品を落下排出して計量ホッパ４へ投入する。また、各計量ホッパ４には、ホッパ内の物品の重量を計測するロードセル等の重量センサ９が連結され、各重量センサ９による計量データは制御装置１６へ出力される。
【００３４】
計量ホッパ４から排出された物品は、集合シュート１０によって装置中心下方へ案内され、そのシュート下端に配備された集合ファネル１１を介して集合ホッパ１２に集められ、一時保持される。
【００３５】
各部を制御する制御装置１６は、計量ホッパ４で計量される物品の重量に基づいて、組合せ演算を行って、所定重量範囲となる複数の計量ホッパ４を選択し、選択された計量ホッパ４から物品が集合ホッパ１２へ排出されて一旦保持される。図示しない包装機から制御装置１６へ排出要求信号の入力があると、集合ホッパ１２のゲート１２ａが開放制御され、保持されている物品が排出されて包装機へ投入される。
【００３６】
図３は、組合せ秤の上部の一部を示す斜視図であり、図４は、直進フィーダ２のトラフ７の斜視図であり、図５は、トラフ７の平面図であり、図６は、トラフ７の側面図である。なお、以下においては、説明の便宜上、トラフ７の物品の搬送方向と直交する水平方向を左右方向あるいは横方向と呼称する。
【００３７】
このトラフ７には、図５の矢符Ｄで示される物品の搬送方向の全長に亘って一定横幅に形成された底板部７ａと、底板部７ａの左右両側端から斜め外方上方に立設された一対の側板部７ｂ，７ｃとを備えている。これら底板部７ａ及び側板部７ｂ，７ｃによって、幅広で断面積の大きい逆台形状の主搬送通路Ｆが形成される。また、トラフ７は、底板部７ａの物品の搬送方向の始端部に立設された背板部７ｄと、底板部７ａの物品の搬送方向の終端部に先上がり傾斜した傾斜部７ｆとを備えている。また、トラフ７の下面、すなわち、底板部７ａの外底面には、加振機構８への脱着用の支持板１３が備えられている。
【００３８】
上拡がりに対向する一対の側板部７ｂ，７ｃの内、一方の側板部７ｃは、その上端部が全長に亘って湾曲して外側方に折り返され、この折返し部７ｅが、隣接配備するトラフ７の他方の側板部７ｂの上端縁に上方から被さるようになっている。
【００３９】
幅広で断面積の大きい逆台形状の主搬送通路Ｆを形成する底面、すなわち、底板部７ａの内底面の幅方向の中央には、縦断正面形状が三角山形の隔壁部１４が、主搬送通路Ｆの全長に亘って突設されている。
【００４０】
この隔壁部１４は、図５に示すように、その全長において、主搬送通路Ｆの底面の横幅Ｆｗの略３分の１の横幅ｆｗ(≒Ｆｗ／３)を有しており、その結果として、隔壁部１４の左右両側に、主搬送通路Ｆの底面横幅の略３分の１の底面横幅を有すると共に、物品の搬送方向の全長に亘って一定の深さを有する小幅搬送通路ｆを区画形成する。
【００４１】
小幅搬送通路ｆを区画形成する隔壁部１４の高さによって、小幅搬送通路ｆの深さが規定されることになり、この小幅搬送通路ｆの深さは、主搬送通路Ｆの深さに比べて浅くなっている。隔壁部１４の高さは、例えば、搬送する物品ｗより少し大きい程度が好ましく、この例では、トラフ７における物品の搬送方向の始端部の主搬送通路Ｆの深さより少し低い程度であって、全長に亘って一定の高さに設定されている。
【００４２】
次に、上記直進フィーダ２による物品の搬送動作について説明する。
【００４３】
例えば、少量の小袋の包装品を生産する場合には、制御装置１６に対して、少量に対応した目標重量、分散フィーダ１及び直進フィーダ２の駆動条件等の各種のパラメータが設定されて運転が開始される。
【００４４】
この場合、分散フィーダ１から直進フィーダ２へ供給される物品の供給量が少なくなる。直進フィーダ２のトラフ７では、例えば、図７（ａ）に示すように、物品ｗは、浅く断面積の小さい２列の小幅搬送通路ｆに振分け案内され、互いに重なり合うことなく搬送され、少量ずつ供給ホッパ３に送り込まれる。
【００４５】
また、多量の大袋の包装品を生産する場合には、制御装置１６に対して、多量に対応した目標重量、分散フィーダ１及び直進フィーダ２の駆動条件等の各種のパラメータが設定されて運転が開始される。
【００４６】
この場合、分散フィーダ１から直進フィーダ２へ供給される物品の供給量が多くなる。直進フィーダ２のトラフ７では、例えば、図７（ｂ）に示すように、物品ｗは、幅広で断面積の大きい逆台形状の主搬送通路Ｆにおいて、隔壁部１４より高く重なり合って搬送される。
【００４７】
このように本実施形態によれば、直進フィーダ２のトラフ７によって、少量の物品ｗを搬送する場合には、底面の幅が狭く、浅い、したがって、断面積の小さい小幅搬送通路ｆによって、少量の物品ｗを搬送することができる一方、多量の物品ｗを搬送する場合には、小幅搬送通路ｆを区画形成する隔壁部１４の高さを超えて、底面の幅が広く、深い、したがって、断面積の大きい主搬送通路Ｆによって、多量の物品ｗを搬送することができる。
【００４８】
したがって、少量の物品を搬送する場合、及び、多量の物品を搬送する場合のいずれの場合にも、１種類のトラフ７によって、対応することが可能となり、従来のように、Ｖ字形あるいは略Ｖ字形の断面形状を備えたトラフと、横幅の大きい底面を有する逆台形の断面形状を備えたトラフとを予め準備しておき、搬送すべき物品の多少に応じて、トラフを取り替える必要がない。
【００４９】
これによって、トラフの取り替え手数や管理手数にかかるコストを削減することができる。
【００５０】
［その他の実施形態］
本発明は、以下のような形態で実施することもできる。
【００５１】
（１）図８に示すように、隔壁部１４の頂部を湾曲させてもよい。また、頂部を平坦にしてもよい。
【００５２】
（２）図９に示すように、隔壁部１４の横幅を物品の搬送方向の下手側ほど大きくして、小幅搬送通路ｆの底面横幅を搬送方向の下手側ほど狭くなる形態で実施してもよい。
【００５３】
（３）主搬送通路Ｆの底面横幅を搬送方向の下手側ほど狭くすると共に、隔壁部１４の横幅を搬送方向の全長に亘って一定にすることで、小幅搬送通路ｆの底面横幅を搬送方向の下手側ほど狭くすることもできる。
【００５４】
（４）搬送方向の始端側において、隔壁部１４の高さを搬送方向の上手側ほど低くなるようにしてもよい。
【符号の説明】
【００５５】
１            分散フィーダ
２            直進フィーダ
３            供給ホッパ
４            計量ホッパ
７            トラフ
７ａ          底板部
７ｂ，７ｃ    側板部
１４          隔壁部
Ｆ            主搬送通路
ｆ            小幅搬送通路
ｗ            物品
【図１】
2020159786.tif 000003
【図２】
2020159786.tif 000004
【図３】
2020159786.tif 000005
【図４】
2020159786.tif 000006
【図５】
2020159786.tif 000007
【図６】
2020159786.tif 000008
【図７】
2020159786.tif 000009
【図８】
2020159786.tif 000010
【図９】
2020159786.tif 000011